(57)【要約】【課題】取付位置が固定であっても納まりに対応して調整が可能であり、しかも、多種多様な納まりに１種類で対応することができる化粧額部材を提供する。【解決手段】複数の見付辺と複数の見込辺とを幅方向に交互に連設して段部状の化粧額本体１９を形成し、該本体１９は幅方向の所望部位で長手方向に切断可能となっており、該本体１９を切断することで見付寸法及び見込寸法が調節可能に構成されている。好ましくは、該化粧額本体１９の一側には、幅方向に互いに間隔を存して複数の溝部３９が長手方向に延設されており、該溝部３９が形成された部位において該化粧額本体１９を切断可能に構成してある。【選択図】図７
2004204496.tif 000002
【特許請求の範囲】
【請求項１】
複数の見付辺と複数の見込辺とを幅方向に交互に連設して段部状の化粧額本体を形成し、該本体は幅方向の所望部位で長手方向に切断可能となっており、該本体を切断することで見付寸法及び見込寸法が調節可能に構成されていることを特徴とするリフォームドアの化粧額部材。
【請求項２】
請求項１において、該化粧額本体の一側には、幅方向に互いに間隔を存して複数の溝部が長手方向に延設されており、該溝部が形成された部位において該化粧額本体を切断可能に構成したことを特徴とするリフォームドアの化粧額部材。
【請求項３】
既設の旧ドア枠に取り付けられた新ドア枠と該新ドア枠に装着された化粧額部材とを有するリフォームドア枠において、該化粧額部材は幅方向一端側が該新ドア枠の建物外部側の見付面または見込面に装着されており、他端側は該旧ドア枠の見付面を隠蔽するように延出しており、該化粧額部材は、複数の見付辺と複数の見込辺とを幅方向に交互に連設して形成された段部状の化粧額本体を有すると共に、該本体は幅方向の所望部位で長手方向に切断可能であり、該本体を幅方向の所望部位で切断することで該化粧額部材の見付寸法及び見込寸法が調整可能となっており、該化粧額部材は、納まりに対応するように見付寸法及び見込寸法を選択した上で該新ドア枠に装着されていることを特徴とするリフォームドア枠の構造。
【発明の詳細な説明】
【０００１】
【発明の属する技術分野】
本発明は、リフォームドアの化粧額部材に係り、詳しくは、リフォームドア枠に装着される化粧額部材に関するものである。
【０００２】
【従来の技術】
戸建て住宅の改装用として、既設の旧ドア枠の上から、該旧ドア枠をカバーするようにリフォームドア枠を取り付けることが行なわれている。このようなリフォームドア枠は、外壁や内装、床などを壊す必要がないため、「改装費用が抑えられる」、「工期が短い」というような有利な点を有する。しかしながら、既設の旧ドア枠に単に新しい枠を取り付けたのみでは、正面から見た場合に、旧ドア枠の見付面が露出しており、ドアの美観等に不具合がある。そこで、既設の旧ドア枠にリフォームドア枠を取り付けた後、さらに化粧額を新ドア枠に取り付けることで、旧ドア枠及び旧ドア枠と新ドア枠との隙間を覆い隠すようにしている。
【０００３】
図１、図２は、従来の化粧額部材を示す図であり、化粧額部材１が新設のドア枠２の見付面に装着されている。リフォームドアは改装用であるという性格上、多種多様な納まりに対応する必要がある。したがって、化粧額部材も、標準（図１（Ａ））・大（図１（Ｂ））・特大（図２（Ａ））の３種類の寸法の化粧額を用意することで、多種多様な納まりに対応できるようになっている。また、化粧額の取り付け位置をずらすことにより、錠前側と上枠側で例えば５ｍｍないし１０ｍｍの２段階、吊元が側で例えば５ｍｍの１段階のように、調整が可能となっている（図２（Ｂ））。それでも納まりが悪い場合には、さらに補助材１ａなどを取り付けることで対応している（図２（Ｃ））。
【０００４】
しかしながら、例えば、勝手口ドアについてみると、勝手口ドアは玄関ドアに比較して元々開口部が狭いことから、開口部を少しでも大きく確保するためには、ドア枠の見付を小さくし、化粧額の取り付けも固定とする必要がある。また、上述のように複数の化粧額を持つことは、管理や価格面で負担が大きく、１種類の化粧額部材での対応が要望される。
【０００５】
【特許文献１】実公昭６２−１２０６４号
【０００６】
【発明が解決しようとする課題】
本発明は、上記不具合を解決するために創案されたものであって、取付位置が固定であっても納まりに対応して調整が可能であり、しかも、多種多様な納まりに１種類で対応することができる化粧額部材を提供することを目的とするものである。
【０００７】
【課題を解決するための手段】
かかる課題を達成するために本発明が採用した技術手段は、複数の見付辺と複数の見込辺とを幅方向に交互に連設して段部状の化粧額本体を形成し、該本体は幅方向の所望部位で長手方向に切断可能となっており、該本体を切断することで見付寸法及び見込寸法が調節可能に構成されていることを特徴とするものである。好ましくは、該化粧額本体の一側（化粧額部材を装着した際の建物内部側）には、幅方向に互いに間隔を存して複数の溝部が長手方向に延設されており、該溝部が形成された部位において該化粧額本体を切断可能に構成してある。
【０００８】
本発明が採用したリフォームドア枠の構造は、既設の旧ドア枠に取り付けられた新ドア枠と該新ドア枠に装着された化粧額部材とを有するリフォームドア枠において、該化粧額部材は幅方向一端側が該新ドア枠の建物外部側の見付面または見込面に装着されており、他端側は該旧ドア枠の見付面を隠蔽するように延出しており、該化粧額部材は、複数の見付辺と複数の見込辺とを幅方向に交互に連設して形成された段部状の化粧額本体を有すると共に、該本体は幅方向の所望部位で長手方向に切断可能であり、該本体を幅方向の所望部位で切断することで該化粧額部材の見付寸法及び見込寸法が調整可能となっており、該化粧額部材は、納まりに対応するように見付寸法及び見込寸法を選択した上で該新ドア枠に装着されていることを特徴とする。ここで、「化粧額部材の見付寸法及び見込寸法を選択した上」とは、化粧額本体を幅方向の所望部位で切断することで見付寸法及び見込寸法を選択する場合のみならず、該化粧額本体を全く切断せずにそのまま用いる場合（すなわち、元々の化粧額本体の見付寸法及び見込寸法を選択する）も含まれる。また、好ましくは、化粧額部材の他端側は、建物外装材に近接あるいは当設するように延出している。この場合は、化粧額部材の寸法は、旧ドア枠と外装材との距離に対応するものとなる。
【０００９】
【発明の実施の形態】
本発明の実施の形態を図面に基づいて説明する。図３は、改装後のリフォームドアの姿図である。改装後のドア枠２は既設の旧ドア枠に対して取り付けられた新ドア枠であり、新ドア枠が改装後のドア枠として機能する。ドア枠２は、上枠、下枠、左右の竪枠から四周状に形成されており、長方形状のドア本体３がドア枠２に対して納まっている。図示のものでは、ドア本体３は開き戸であり、左右の竪枠の一方が錠前側竪枠、他方が吊元側竪枠を構成している。ドア枠２の見付側には、上枠及び左右の竪枠に位置して化粧額１が取り付けてあり、旧ドア枠および旧ドア枠とドア枠２との隙間を覆い隠している。尚、本発明は、開き戸に限定されるものではなく、例えば、引戸に適用することもでき、また、その場合には、ドア枠の構成・形状が図示のものと異なることは言うまでもない。
【００１０】
図４は図３に示すリフォームドアの縦断面図、図５は図３に示すリフォームドアの横断面図である。リフォーム後のドア枠２は、上枠４、下枠５、左右の竪枠６，７とから構成されている。改装前の既設の旧ドア枠は、旧上枠８、旧下枠９、左右の旧竪枠１０，１１とから構成されている。改装後の上枠４は旧上枠８に、改装後の下枠５は旧下枠９に、改装後の竪枠６，７は旧竪枠１０，１１に、それぞれ、螺子１２を用いて取り付けられている。尚、改装後のドア枠２の固定は、図４，５に示すように螺子１２によって躯体に固定する場合と、図９の半外付けのように螺子１２によって旧枠に固定する場合がある。
【００１１】
上枠４、左右の竪枠６，７は、それぞれ、中空状の長尺部材であり、それぞれ対向する左右の長辺と前後の短辺とから略長方形状の断面形状を有している。上枠４、左右の竪枠６，７の断面形状は類似しており、この断面形状を図６に基づいて説明する。上枠４、左右の竪枠６，７は、一方の長辺（ドア枠２の見込面）１３を開口部側に、他方の長辺１４を旧枠側に対向させ、一方の短辺（ドア枠２の見付面）１５を建物外部側に、他方の短辺１６を建物内部側に対向させて配設されている。すなわち、上枠４、左右の竪枠６，７は、短辺１５，１６が見付に、長辺１３，１４が見込になるように建物開口部に配設されている。他方の短辺１６の端部は開口部側に延出しており溝部１７ａを備えた延出辺１７が形成されている。延出辺１７の溝部１７ａには緩衝材１７０が装着されており、延出辺１７と緩衝材１７０とで戸当たり部が形成されている。
【００１２】
ドア枠２の建物外部側には、化粧額部材１が取り付けられている。化粧額部材１は、上枠４、左右の竪枠６，７の見付面、すなわち、建物外部側の短辺１５に装着される長尺部材であって、ドア枠２である新枠と旧枠の隙間、及び、旧枠の見付面を隠蔽するように建物外装材３００に向って延出している。化粧額部材１は、ドア枠２に固着される装着部１８と新枠と旧枠の隙間、及び、旧枠の見付面を隠蔽する化粧額本体１９とからなる。装着部１８は、見付辺１８０と対向する左右の見込辺１８１，１８２とから断面視略コ字形状を有しており、見付辺１８０を新枠の見付面を構成する短辺１５に突起１８０ａで位置決めして当接させて螺子２０を用いて固着してあり、さらに開口部から離隔する側の見込辺１８２の端部からは化粧額本体１９が一体的に延出している。対向する見込辺１８１，１８２間の空隙２２には対向状の嵌入片２１０を有する長尺状の目隠し材２１が設けてあり、目隠し材２１を空隙２２に嵌着させることで、螺子２０の頭部が露出して美観を損ねることがないようになっている。尚、装着部１８の構成は図示のものに限定されるものではなく、例えば、目隠し材２１を化粧額本体１９と一体で形成することで装着部を形成し、断面視コ字状の中間部材（図示の装着部１８単体に相当）を介してドア枠に装着するようにしてもよい。
【００１３】
化粧額本体１９は、見付部と見込部とを段部を形成するように幅方向に交互に連続させることで構成されており、建物外部側から建物内部側に向って全体として弧を描くように延出している。化粧額本体１９は幅方向の所望の位置で長手方向に容易に切断可能となっており、納まりに合わせて化粧額本体１９を長手方向に切断することで、化粧額部材１の見付方向及び見込方向の寸法を調整することができる。図６に示す断面視において、化粧額本体１９は、第１見付辺２３、第１見込辺２４、第２見付辺２５、第２見込辺２６、第３見付辺２７、第３見込辺２８、第４見付辺２９、第４見込辺３０、第５見付辺３１、第５見込辺３２、第６見付辺３３、第６見込辺３４、第７見付辺３５、第７見込辺３６、第８見付辺３７、第８見込辺３８を段部を形成するように幅方向に交互に連設することで構成されている。
【００１４】
第５見込辺３２は断面視において（幅寸法において）他の辺よりも長辺に形成されており、化粧額本体１９の第６見込辺３２より基端側の部位（第１見付辺２３、第１見込辺２４、第２見付辺２５、第２見込辺２６、第３見付辺２７、第３見込辺２８、第４見付辺２９、第４見込辺３０、第５見付辺３１）は主として見付寸法調整部位、第６見込辺３２を含む先端側の部位（第６見込辺３２、第６見付辺３３、第６見込辺３４、第７見付辺３５、第７見込辺３６、第８見付辺３７、第８見込辺３８）は主として見込寸法調整部位を形成している。見付寸法調整部位では、断面視において（幅寸法において）、見付辺が見込辺より大きい寸法を有している。見込寸法調整部位では、断面視において（幅寸法において）、見込辺が見付辺より大きい寸法を有している。
【００１５】
見付寸法調整部位において、各見付辺２３，２５，２７，２９，３０の基端側には、建物内部側に位置して化粧額部材１の長手方向に延出する溝３９が形成されている。見込寸法調整部位において、各見込辺３２，３４，３６の先端側には、建物内部側に位置して化粧額部材１の長手方向に延出する溝３９が形成されている。溝３９はＶ溝であり、カッター刃を溝３９に当ててしごくことで化粧額本体１９を容易に切断することができる。尚、カッター刃の当て方は、溝３９に当てる場合、溝３９の裏側の段部コーナーをガイドとして当てる場合、前記両方に当てる場合がある。第１見付辺２３は目隠し材２１を装着した際に、目隠し材２１と面一になるように段部２３ａを有しており、段部２３ａの先端側にも、建物内部側に位置して溝３９が形成されている。また、見付寸法調整部位、見込寸法調整部位という表現を用いたが、これは、それぞれ見付寸法、見込寸法のみの調整を行なうことを意味するものではなく、見付寸法調整部位で切断した場合であっても、見付寸法のみならず見込寸法も変化し、また、見込寸法調整部位で切断した場合であっても、見込寸法のみならず見付寸法も変化する。すなわち、化粧額本体１９を幅方向で切断することによって、化粧額部材１の見付寸法と見込寸法を同時に調整することができる。
【００１６】
また、図４，５において既存の旧枠は内付けであり、これを図８に基づいて説明すると、旧上枠、左右の旧竪枠は、見込方向に延出する長辺（旧枠の見込面）４０と見付方向に延出して対向する前後の短辺４１，４２とから略コ字形状を有しており、一方の短辺４１には新枠と同様に溝部を備えた第１延出辺４３が形成されている。新枠の一方の短辺は、旧枠の第１延出辺に当接している。他方の短辺（旧枠の見付面）４２には前記短辺と反対方向に伸びる第２延出辺４４が形成されており、第２延出辺と建物外壁との取り合い部にはコーキング材３０１が充填されている。また、新上枠、左右の新竪枠と、旧上枠、左右の旧竪枠との隙間には、建物外部側に位置してコーキング材３０２が充填してある。また、図９には半外付けの既存枠が示してあり、図８のものと比べて既存枠の断面形状は異なるが、内付けの旧枠と同様に、見込面４０、見付面４２、第１延出辺４３、第２延出辺４４を有している。
【００１７】
このように構成された化粧額部材１の取り付けについて、図７乃至図９に基づいて説明する。現場において、先ず、旧枠に新枠であるドア枠２を装着する。この状態では、旧枠の見付面４２、ドア枠の見付面１５、旧枠とドア枠２との隙間（図示のものではコーキング材３０２が充填されている）が露出しており、建物外装材３００とドア枠見付面１５との間で露出した部位を化粧額部材１で隠蔽する必要がある。
【００１８】
この時、化粧額部材１の寸法は、ドア枠見付面１５と外装材３００との間の空間に対応する必要があり、かかる空間の大きさは、既存の旧枠の納まりの仕様によって異なる。したがって、現場において、見付方向及び見込方向の両方において、化粧額部材１の寸法調整が必要となる。
【００１９】
そこで、図７下図に示すように、かかる空間を覆うべく、必要とされる化粧額部材１の寸法を決定して、化粧額本体１９の所望の溝３９を選択して、カッター刃を入れてからしごくことで化粧額本体１９を切断する。図７下図では、第３見付辺２７の基端側の溝３９において化粧額本体１９を切断している。所定の寸法に調整された化粧額部材１は装着部１８を介してドア枠２の見付面に螺子２０で固定される。そして、目隠し材２１を装着することで、螺子２９の頭部を隠蔽する。
【００２０】
図８は、既存枠（内付）に対する納まりを示している。上図では、ドア枠２の見付辺１５と外装材３００の横方向（見付方向）及び前後方向（見込方向）の距離に対応するべく、第５見付辺の基端側で化粧額本体を切断したものがドア枠２に装着されている。下図では、同様に、第３見付辺の基端側で化粧額本体を切断したものがドア枠２に装着されている。化粧額部材１によって、旧枠の見付面４２およびドア枠２と旧枠の間の隙間に充填したコーキング材３０２が被覆されている。
【００２１】
図９は、既存枠（半外付）に対する納まりを示している。上図では、ドア枠２の見付辺１５と外装材３００の横方向（見付方向）及び前後方向（見込方向）の距離に対応するべく、化粧額本体を切断することなく、化粧額部材１がドア枠２に装着されている。下図では、同様に、第６見込辺の先端側で化粧額本体を切断したものがドア枠２に装着されている。化粧額部材１によって、旧枠の見付面４２およびドア枠２と旧枠の間の隙間に充填したコーキング材３０２、旧枠と外装材３００の間のコーキング材３０１が被覆されている。
【００２２】
【発明の効果】
本発明は次に述べるような有利な効果を有する。
（１）本発明に係る化粧額部材は、化粧額本体を切断することで、化粧額部材の見付方向及び見込方向の寸法を同時に調整することができるので、１種類の化粧額部材で多種多様な納まりに対応できるため、従来のように複数種類の化粧額部材を用意する必要がなく、部品のコストを抑えることができると共に、部品の管理や発注の手間を削減することができる。
（２）化粧額本体を切断することで寸法を調整するので、ドア枠の見付部に対する化粧額部材の取付位置を変更することで納まり調整する必要がなく、よって、ドア枠の見付寸法を小さくすることが出来て、より大きな開口を確保することができる。
（３）化粧額本体を複数箇所から適宜選択して切断することで寸法調整するようにすれば、化粧額部材の寸法を多段階で調整可能である。したがって、きめ細かい寸法調整ができると共に、最大調整量も大きく確保することができ、従来補助材を用いていたような場合であっても、補助材を用いることなくして寸法調整できる。
（４）化粧額本体は、切断可能に構成されているので、現場で納まりに合わせて切り落とせばよく、事前の実測を緻密に行なう必要がない。さらに、溝部を備えたものにおいては、該溝をガイドとして化粧額本体を切断することにより、現場での加工を簡単かつきれいに行なうことができる。
【図面の簡単な説明】
【図１】従来の化粧額部材の納まりを示す図であって、（Ａ）は化粧額（標準）の納まり例、（Ｂ）は化粧額（大）の納まり例を示している。
【図２】（Ａ）は従来の化粧額（特大）の納まり例を示す図、（Ｂ）は従来の化粧額の調整方法を示す図、（Ｃ）は補助材の使用例を示す図である。
【図３】改装後のリフォームドアの正面図およびドア枠の正面図である。
【図４】図３に示すリフォームドアの縦断面図である。
【図５】図３に示すリフォームドアの横断面図である。
【図６】新ドア枠と化粧額部材を示す断面図である。
【図７】上図は、化粧額部材を示す断面図であり、下図は、上図において化粧額本体を切断する状態を示す図である。
【図８】既存枠が内付けの場合の納まり例を示す図である。
【図９】既存枠が半外付けの場合の納まり例を示す図である。
【符号の説明】
１  化粧額部材
２  ドア枠
１３  ドア枠長辺（ドア枠見込面）
１４  ドア枠長辺
１５  ドア枠短辺（ドア枠見付面）
１８  化粧額部材装着部
１９  化粧額部材本体
３９  溝部
３００  建物外装材
【図１】
2004204496.tif 000003
【図２】
2004204496.tif 000004
【図３】
2004204496.tif 000005
【図４】
2004204496.tif 000006
【図５】
2004204496.tif 000007
【図６】
2004204496.tif 000008
【図７】
2004204496.tif 000009
【図８】
2004204496.tif 000010
【図９】
2004204496.tif 000011